(57)【特許請求の範囲】
【請求項１】
外形が四角形に形成され、その上部を覆う使用電子機器の上ケースから下方に突出した二つの支持ピンがそれぞれ挿入される二つの孔が上記四角形の一辺に設けられ、上記二つの孔は、上方が大径で下方が上記二つの支持ピンと係合する径に形成され、上記二つの孔に上記各支持ピンが挿入され、かつ上記使用電子機器の下ケースに保持された配線基板上に、上記一辺における下面の長手方向に沿って設けられた突出部の円形先端面が載せられて配されることにより、上記一辺が所定の範囲で上下動可能に支持され、この一辺を支点として回動可能に配された枠体と、この枠体内に上記の一辺に平行な支持軸を中心として回転可能に保持されて、外周面上部を操作されるように上記使用電子機器の上ケースの開口部から露出させた円柱状操作つまみと、この円柱状操作つまみの一端に連結された可動接点およびこの可動接点と係合するように上記枠体に配設された固定接点からなり、上記円柱状操作つまみの回転により電気信号を発する回転操作部品部と、上記四角形の枠体の一辺を支点とする回動により動作するように、枠体の上記の一辺と対向する辺の両端部近傍下方の上記配線基板上に所定の間隔をあけて配設された同一ストローク・同一動作力の二つの自力復帰型の押圧操作部品部により構成され、上記円柱状操作つまみの外周面上部の両端部近傍の所定の範囲を下方に押圧操作することにより上記各押圧操作部品部を個別に操作できると共に、上記円柱状操作つまみの外周面上部の中央の所定の範囲を下方に押圧操作することにより上記二つの押圧操作部品部を同時に操作できる回転・押圧操作型電子部品。
【請求項２】
二つの支持ピンに対応する四角形の枠体の一辺に設けた二つの孔が、上方が大径で下方が上記二つの支持ピンと係合する径となった二つの貫通孔とされ、上記二つの支持ピンをその二つの貫通孔にそれぞれ挿入・貫通させ、その下方の配線基板に設けた二つの係合孔に挿入するようにした請求項１記載の回転・押圧操作型電子部品。
【請求項３】
四角形の枠体の回動時の支点となる一辺の下面に設けた突出部の両端部間の寸法が、配線基板上に配設された二つの押圧操作部品部の間隔と同等以上である請求項１または２に記載の回転・押圧操作型電子部品。
【請求項４】
四角形の枠体が、対向する辺の一方が回動時の支点となる一辺であるコの字形体とコの字形体の開口部を塞ぐ板状体を組合わせて構成され、この板状体に回転操作部品部の固定接点が配された請求項１〜３のいずれか一つに記載の回転・押圧操作型電子部品。
【請求項５】
通常状態において、四角形の枠体の回動時の支点となる一辺がその上下動可能範囲の下端にあるように、この一辺を押圧操作部品部の動作力よりも小さい力で下方に付勢するばね体を上ケースと上記枠体の間に配した請求項１〜４のいずれか一つに記載の回転・押圧操作型電子部品。
【請求項６】
二つの押圧操作部品部を同時に押圧操作できる範囲を支持するように、円柱状操作つまみの外周面の中間部を両側部よりも窪ませた請求項１〜５のいずれか一つに記載の回転・押圧操作型電子部品。
【請求項７】
円柱状操作つまみの回転操作時に節度感を発生する請求項１〜６のいずれか一つに記載の回転・押圧操作型電子部品。
【請求項８】
回転操作部品部が回転方向により異なる信号を発生する回転型エンコーダで、押圧操作部品部がプッシュオンスイッチである請求項１〜７のいずれか一つに記載の回転・押圧操作型電子部品。
【請求項９】
プッシュオンスイッチが配線基板上に設けられた固定接点の上に弾性金属薄板製のドーム状可動接点を配し、その上面を下面に粘着剤を塗布した可撓性フィルムで覆ったものである請求項８記載の回転・押圧操作型電子部品。
【請求項１０】
回転操作部品部の固定接点と一体に形成された金属薄板製の連結板で導通連結された接続用の接点ブロックを、使用電子機器の上ケースにより押圧して配線基板上の被接続接点部に弾接接続させた請求項１〜９のいずれか一つに記載の回転・押圧操作型電子部品。
【請求項１１】
下面に二つまたは一直線上にない三つの接続用接点を設けた接点ブロックを、弾性材を介してその二つまたは三つの接続用接点の中心部を押圧して配線基板上の被接続用接点に接続させた請求項１０記載の回転・押圧操作型電子部品。
【請求項１２】
円柱状操作つまみの外周面上部と回転操作部品部の活電部の間をシールドするシールド板を使用電子機器のアース回路に接続する接点を、回転操作部品部の二つまたは三つの接続用接点よりも突出しないように接点ブロック下面に設けた請求項１０または１１に記載の回転・押圧操作型電子部品。
【請求項１３】
円柱状操作つまみの両端を使用電子機器の上ケースと一体に形成したカバーで覆った請求項１〜１２のいずれか一つに記載の回転・押圧操作型電子部品。
【請求項１４】
請求項１〜１３のいずれか一つに記載の回転・押圧操作型電子部品が使用電子機器内に組み込まれた後の四角形の枠体の上下動および回動動作を妨げないように、少なくとも上記四角形の枠体の回動時の支点となる一辺を仮保持する弾性脚部を上ケースに設けた電子機器。
【請求項１５】
請求項１〜１４のいずれか一つに記載の回転・押圧操作型電子部品と、この回転・押圧操作型電子部品の円柱状操作つまみの外周面上部を押圧操作して一定時間内に二つの押圧操作部品部が操作された時に、どちらの押圧操作部品部が操作された時の電気信号とも異なる電気信号として処理するための時間測定手段を用いたスイッチング認識手段を備えた電子機器。
【請求項１６】
本体表示部に表示された複数の選択項目を所定の配列関係で包含するメニューに対して、回転または回動中心軸が操作面に対して平行な円柱状操作つまみの外周面上部に接線方向の力を加え、前方側または手前側に回転或いは回動操作することにより、上記複数の選択項目を所定の方向に移動させるように第一または第二の電気信号を発生し、かつ上記円柱状操作つまみの外周面上部の左側部または右側部の所定の範囲を下方に押圧操作して二つの押圧操作部品部のいずれか一方のみを操作することにより、上記複数の選択項目を上記の移動方向に対して直交する方向に移動させるように第三および第四の電気信号を発生し、また上記円柱状操作つまみの外周面上部の中央の所定の範囲を下方に押圧操作して上記二つの押圧操作部品部を同時に操作して、上記移動後の選択項目の決定を行なうように第五の電気信号を発生させるようにした請求項１５記載の電子機器。
【発明の詳細な説明】
【０００１】
【発明の属する技術分野】
本発明は主として携帯電話装置等の電子機器に使用され、機器の操作面から露出した円形操作つまみの先端部を接線方向に回転操作および回転中心に向けて押圧操作する回転・押圧操作型電子部品およびそれを用いた電子機器に関するものである。
【０００２】
【従来の技術】
従来のこの種の回転・押圧操作型電子部品としては、図１７の外観斜視図に示すようなプッシュオンスイッチ付回転型エンコーダ１が知られている。
【０００３】
このプッシュオンスイッチ付回転型エンコーダ１は、図１７および図１８の側面断面図に示すように、接点付取付基板２に回転操作部品部としての回転型エンコーダ３と押圧操作部品部としてのプッシュオンスイッチ４が配置され、回転型エンコーダ３は一定の範囲で上下方向（図１７および図１８に示す矢印Ｖ方向）に移動できるように、プッシュオンスイッチ４は動かないように固定されている。
【０００４】
そして、回転型エンコーダ３は図１７および図１８に示すように、接点付取付基板２により一定の範囲で上下方向（矢印Ｖ方向）に動きうるように保持されたスライド接点体５とその中央に固定された軸部６により回転可能に保持された回転体７と、この回転体７を回転操作できるように軸部６を介して取り付けられた円形操作つまみ８とにより構成され、スライド接点体５の下端から突出した板ばね９が接点付取付基板２前面のピン状突起１０に弾接することにより、通常状態において回転型エンコーダ３がプッシュオンスイッチ４から離れた位置にあるように上方に付勢している。
【０００５】
また、プッシュオンスイッチ４は図１８に示すように、その操作釦１１が回転型エンコーダ３の軸部６の後方の押圧部６Ａに当接するように、接点付取付基板２の回転型エンコーダ３とは反対側の面に固定されている。
【０００６】
このように構成された従来のプッシュオンスイッチ付回転型エンコーダ１の動作は、まず円形操作つまみ８の外周面上部８Ａに接線方向（図１７に示す矢印Ｈ方向）の力を加えて円形操作つまみ８を回転させることにより、回転体７が軸部６を中心として回転して回転型エンコーダ３としての電気信号を発生し、また回転型エンコーダ３を押し上げている板ばね９の付勢力に逆らって、円形操作つまみ８の外周面上部８Ａにその中心に向かう下方向（矢印Ｖ方向）の押し力を加えて回転型エンコーダ３全体を動かすことにより、軸部６の押圧部６Ａで操作釦１１を押してプッシュオンスイッチ４を動作させて電気信号を発生させ、円形操作つまみ８に加えていた押し力を除くと、板ばね９の弾性復元力によって回転型エンコーダ３が押し戻されて元の状態に復帰するものであった。
【０００７】
そして、このプッシュオンスイッチ付回転型エンコーダ１が携帯電話装置１２に使用される場合には、図１９の携帯電話装置の外観斜視図に示すように、別の二回路プッシュオンスイッチ１３と組み合せて使用されることが多い。
【０００８】
この二回路プッシュオンスイッチ１３は図２０の部分断面の正面図に示すように、スイッチ基板１４の上に所定の間隔をあけて配設された二つの自力復帰型のプッシュオンスイッチ１５Ａ，１５Ｂが、スイッチ基板１４中央の支持部１４Ａで回動可能に支持された操作キー１６の上面を押圧操作することにより、それぞれ個別に動作するように構成されたものである。
【０００９】
次に、図１９に示す携帯電話装置１２の使用方法について説明すると、携帯電話装置１２の使用開始時にその操作面１２Ａの液晶表示部１７に複数の機能項目メニューが所定の配列関係で表示された状態において、まずプッシュオンスイッチ付回転型エンコーダ１の円形操作つまみ８の外周面上部８Ａの操作面１２Ａから露出した部分に接線方向の力を加え、前方側または手前側に回転させることにより回転型エンコーダ３から発せられた信号により、表示画面（図示せず）中の機能項目メニューを希望する項目のある行まで前後方向に移動させ、次に二回路プッシュオンスイッチ１３の操作キー１６の左上面１６Ａまたは右上面１６Ｂを押圧操作してプッシュオンスイッチ１５Ａまたは１５Ｂを動作させることにより、表示画面（図示せず）中の機能項目メニューを目的とする項目のある列まで左右方向に移動させて目的の項目を選択し、例えば“発信”の位置で、今度はプッシュオンスイッチ付回転型エンコーダ１の円形操作つまみ８の外周面上部８Ａを押圧操作して決定し、次に液晶表示部１７には複数の発信相手先メニューが所定の配列順序で表示され、再度プッシュオンスイッチ付回転型エンコーダ１の円形操作つまみ８の外周面上部８Ａに接線方向の力を加えて前方側または手前側に回転させることにより発信相手先メニューを希望する相手先の位置まで前後方向に移動させて選択し、目的とする相手先の位置で、再度プッシュオンスイッチ付回転型エンコーダ１の円形操作つまみ８の外周面上部８Ａを押圧操作して決定し、この後、相手先に対して発呼信号を送るものである。
【００１０】
【発明が解決しようとする課題】
以上のように、従来の回転・押圧操作型電子部品としてのプッシュオンスイッチ付回転型エンコーダ１を二回路プッシュオンスイッチ１３と共に携帯電話装置１２等に使用し、所定の配列関係で包含された複数の選択項目からなるメニューを異なる二方向に移動させて目的の選択項目を選択する場合に、操作する人は、プッシュオンスイッチ１の円形操作つまみ８と二回路プッシュオンスイッチ１３の操作キー１６の間を指を大きく移動させながら操作しなければならないので、操作性が悪いという課題があった。
【００１１】
また、携帯電話装置１２等の小形化された電子機器においては、その操作面１２Ａに機能項目の選択用に二つの電子部品を配することは、操作面の配置設計において不利であるという課題もあった。
【００１２】
本発明は、このような従来の課題を解決するものであり、複数の選択項目を有するメニューの中から所定の選択項目を選択して使用する電子機器において、一つの操作つまみで、複数の選択項目からなるメニューを異なる方向に移動させて、希望する項目を簡単かつ迅速に選択・決定することができる操作性の優れた回転・押圧操作型電子部品を提供することを目的とする。
【００１３】
【課題を解決するための手段】
上記目的を達成するために本発明の回転・押圧操作型電子部品は、外形が四角形に形成され、その上部を覆う使用電子機器の上ケースから下方に突出した二つの支持ピンがそれぞれ挿入される二つの孔が上記四角形の一辺に設けられ、上記二つの孔は、上方が大径で下方が上記二つの支持ピンと係合する径に形成され、上記二つの孔に上記各支持ピンが挿入され、かつ上記使用電子機器の下ケースに保持された配線基板上に、上記一辺における下面の長手方向に沿って設けられた突出部の円形先端面が載せられて配されることにより、上記一辺が所定の範囲で上下動可能に支持され、この一辺を支点として回動可能に配された枠体と、この枠体内に、回転可能に装着された円柱状操作つまみの一端の可動接点およびこの可動接点と係合するように枠体に配設された固定接点からなり、円柱状操作つまみの回転により電気信号を発する回転操作部品部と、枠体の回動により動作するように枠体の下方の配線基板上に所定の間隔をあけて配設された二つの自力復帰型の押圧操作部品部により構成され、円柱状操作つまみの外周上面の両端部近傍を押圧操作することにより各押圧操作部品部を個別に操作できると共に、円柱状操作つまみの外周面上部の中央を押圧操作することにより二つの押圧操作部品部を同時に操作できるようにするものである。
【００１４】
これにより、複数の選択項目を有するメニューの中から所定の選択項目を選択して使用する電子機器において、一つの操作つまみで、複数の選択項目からなるメニューを二つの異なる方向に移動させて、希望する項目を簡単かつ迅速に選択・決定することができて操作性に優れると共に、使用電子機器と一体になった安価でコンパクトな回転・押圧操作型電子部品を得ることができる。
【００１５】
【発明の実施の形態】
本発明の請求項１に記載の発明は、外形が四角形に形成され、その上部を覆う使用電子機器の上ケースから下方に突出した二つの支持ピンがそれぞれ挿入される二つの孔が上記四角形の一辺に設けられ、上記二つの孔は、上方が大径で下方が上記二つの支持ピンと係合する径に形成され、上記二つの孔に上記各支持ピンが挿入され、かつ上記使用電子機器の下ケースに保持された配線基板上に、上記一辺における下面の長手方向に沿って設けられた突出部の円形先端面が載せられて配されることにより、上記一辺が所定の範囲で上下動可能に支持され、この一辺を支点として回動可能に配された枠体と、この枠体内に上記の一辺に平行な支持軸を中心として回転可能に保持されて、外周面上部を操作されるように上記使用電子機器の上ケースの開口部から露出させた円柱状操作つまみと、この円柱状操作つまみの一端に連結された可動接点およびこの可動接点と係合するように上記枠体に配設された固定接点からなり、上記円柱状操作つまみの回転により電気信号を発する回転操作部品部と、上記四角形の枠体の一辺を支点とする回動により動作するように、枠体の上記の一辺と対向する辺の両端部近傍下方の上記配線基板上に所定の間隔をあけて配設された同一ストローク・同一動作力の二つの自力復帰型の押圧操作部品部により構成され、上記円柱状操作つまみの外周面上部の両端部近傍の所定の範囲を下方に押圧操作することにより上記各押圧操作部品部を個別に操作できると共に、上記円柱状操作つまみの外周面上部の中央の所定の範囲を下方に押圧操作することにより上記二つの押圧操作部品部を同時に操作できるもので、複数の選択項目を有するメニューの中から所定の選択項目を選択して使用する電子機器において、一つの操作つまみで、複数の選択項目からなるメニューを二つの異なる方向に移動させて、希望する項目を簡単かつ迅速に選択・決定することができて操作性に優れると共に、使用電子機器と一体になっているので安価でコンパクトであり、さらに四角形の枠体を支持する配線基板は下ケースに保持されているので、操作つまみを介して枠体に大きな力を加えても耐えることができる回転・押圧操作型電子部品を実現できるという作用を有する。また、当該構成のものは、使用電子機器の上ケースの二つの支持ピンの係合によって位置決めされるものであるため、上ケースの開口部とここから露出する円柱状操作つまみの外周面上部との間の位置ずれを規制することができ、円柱状操作つまみの外周面上部をスムースに操作できると共に外観上の見映えも良く、また四角形の枠体の一辺に設けた円形先端面により、枠体を回動させる際の動作が安定しているという作用も有する。
【００１７】
請求項２に記載の発明は、請求項１記載の発明において、二つの支持ピンに対応する四角形の枠体の一辺に設けた二つの孔が、上方が大径で下方が上記二つの支持ピンと係合する径となった二つの貫通孔とされ、上記二つの支持ピンをその二つの貫通孔にそれぞれ挿入・貫通させ、その下方の配線基板に設けた二つの係合孔に挿入するようにしたものであり、請求項１に記載の発明による作用に加えて、四角形の枠体と使用電子機器の配線基板の間の位置ずれを規制することができるので、円柱状操作つまみの外周面上部を押圧操作する際に、四角形の枠体の下面の押圧用突部と配線基板上の押圧操作部品部の間に位置ずれを規制して、押圧操作部品部を設定どおりに確実に操作することができるという作用を有する。
【００１８】
請求項３に記載の発明は、請求項１または２に記載の発明において、四角形の枠体の回動時の支点となる一辺の下面に設けた突出部の両端部間の寸法が、配線基板上に配設された二つの押圧操作部品部の間隔と同等以上であるようにしたものであり、円柱状操作つまみの外周面上部を押圧操作する際の動作が安定し、特に円柱状操作つまみの外周面上部の中央の所定の範囲を押圧操作して二つの押圧操作型部品部を確実に同時に動作させることができるという作用を有する。
【００１９】
請求項４に記載の発明は、請求項１〜３のいずれか一つに記載の発明において、四角形の枠体が、対向する辺の一方が回動時の支点となる一辺であるコの字形体とコの字形体の開口部を塞ぐ板状体を組合わせて構成され、この板状体に回転操作部品部の固定接点が配されたものであり、回転操作部品部の組立てが容易で、組立時の品質劣化も少ないという作用を有する。
【００２０】
請求項５に記載の発明は、請求項１〜４のいずれか一つに記載の発明において、通常状態において、四角形の枠体の回動時の支点となる一辺がその上下動可能範囲の下端にあるように、この一辺を押圧操作部品部の動作力よりも小さい力で下方に付勢するばね体を上ケースと上記枠体の間に配したものであり、四角形の枠体および円柱状操作つまみのガタツキがなく、良好な操作感触の回転・押圧操作型電子部品を実現できるという作用を有する。
【００２１】
請求項６に記載の発明は、請求項１〜５のいずれか一つに記載の発明において、二つの押圧操作部品部を同時に押圧操作できる範囲を支持するように、円柱状操作つまみの外周面の中間部を両側部よりも窪ませたものであり、この回転・押圧操作型電子部品を操作する人が、円柱状操作つまみの外周上面の所定の位置を押圧操作して、容易に所定の押圧操作部品部を動作させることができるという作用を有する。
【００２２】
請求項７に記載の発明は、請求項１〜６のいずれか一つに記載の発明において、円柱状操作つまみの回転操作時に節度感を発生するものであり、円柱状操作つまみを回転操作して回転操作型部品部を操作する際に、所定の回転位置で確実に停止させることができると共に、同操作つまみを押して押圧操作型部品部を操作する際に、同操作つまみが回転することを防止できるという作用を有する。
【００２３】
請求項８に記載の発明は、請求項１〜７のいずれか一つに記載の発明において、回転操作部品部が回転方向により異なる信号を発生する回転型エンコーダで、押圧操作部品部がプッシュオンスイッチであるものであり、近年の通信端末機器等に多用化されているマイクロコンピュータ等のデジタル回路に信号を直接入力することができ、機器制御を簡素化できるという作用を有する。
【００２４】
請求項９に記載の発明は、請求項８記載の発明において、プッシュオンスイッチが配線基板上に設けられた固定接点の上に弾性金属薄板製のドーム状可動接点を配し、その上面を下面に粘着剤を塗布した可撓性フィルムで覆ったものであり、プッシュオンスイッチを、安価で高さ寸法が小さく、しかも防塵性能が優れたものとすることができるという作用を有する。
【００２５】
請求項１０に記載の発明は、請求項１〜９のいずれか一つに記載の発明において、回転操作部品部の固定接点と一体に形成された金属薄板製の連結板で導通連結された接続用の接点ブロックを、使用電子機器の上ケースにより押圧して配線基板上の被接続接点部に弾接接続させたものであり、回転操作部品部の電気信号を摺動接点を使用しないで使用電子機器の配線基板に伝えるので、高い接触信頼性が得られると共に、省スペース化が図れるという作用を有する。
【００２６】
請求項１１に記載の発明は、請求項１０記載の発明において、下面に二つまたは一直線上にない三つの接続用接点を設けた接点ブロックを、弾性材を介してその二つまたは三つの接続用接点の中心部を押圧して配線基板上の被接続用接点に接続させたものであり、接点ブロックを使用電子機器の上ケースで押圧して、接続用接点を配線基板上の被接続接点部に接続させる際に、各接続用接点にほぼ均等な接触圧力が加わるという作用を有する。
【００２７】
請求項１２に記載の発明は、請求項１０または１１に記載の発明において、円柱状操作つまみの外周面上部と回転操作部品部の活電部の間をシールドするシールド板を使用電子機器のアース回路に接続する接点を、回転操作部品部の二つまたは三つの接続用接点よりも突出しないように接点ブロック下面に連結させたものであり、シールド端子と回転操作部品部の電気信号を使用電子機器の配線基板に伝えるための接点ブロックを共用することができるので、部品点数を少なくして、小形化を図れるという作用を有する。
【００２８】
請求項１３に記載の発明は、請求項１〜１２のいずれか一つに記載の発明において、円柱状操作つまみの両端を使用電子機器の上ケースと一体に形成したカバーで覆ったものであり、使用電子機器内への塵埃等の侵入を防ぐことができると共に、同機器の操作面の見栄えが良くなるという作用を有する。
【００２９】
請求項１４に記載の発明は、請求項１〜１３のいずれか一つに記載の回転・押圧操作型電子部品が使用電子機器内に組み込まれた後の四角形の枠体の上下動および回動動作を妨げないように、少なくとも上記四角形の枠体の回動時の支点となる一辺を仮保持する弾性脚部を上ケースに設けた電子機器としたものであり、回転・押圧操作型電子部品を用いた電子機器を組み立てる際に、あらかじめ上ケースに四角形の枠体を仮保持させて配線基板および下ケースと組み合わせることができるので、回転・押圧操作型電子部品を用いた電子機器を効率よく組み立てることができるという作用を有する。
【００３０】
請求項１５に記載の発明は、請求項１〜１４のいずれか一つに記載の回転・押圧操作型電子部品と、この回転・押圧操作型電子部品の円柱状操作つまみの外周面上部を押圧操作して一定時間内に二つの押圧操作部品部が操作された時に、どちらの押圧操作部品部が操作された時の電気信号とも異なる電気信号として処理するための時間測定手段を用いたスイッチング認識手段を備えた電子機器としたものであり、回転・押圧操作型電子部品の円柱状操作つまみの回転操作による二種類の電気信号に加えて、同操作つまみの外周上面を押圧操作する位置を変えることによって三つの電気信号を検知して出力することができる電子機器を実現できるという作用を有する。
【００３１】
請求項１６に記載の発明は、請求項１５記載の発明において、本体表示部に表示された複数の選択項目を所定の配列関係で包含するメニューに対して、回転または回動中心軸が操作面に対して平行な円柱状操作つまみの外周面上部に接線方向の力を加え、前方側または手前側に回転または回動操作することにより、上記複数の選択項目を所定の方向に移動させるように第一または第二の電気信号を発生し、かつ上記円柱状操作つまみの外周面上部の左側部または右側部の所定の範囲を下方に押圧操作して二つの押圧操作部品部のいずれか一方のみを操作することにより、上記複数の選択項目を上記の移動方向に対して直交する方向に移動させるように第三および第四の電気信号を発生し、また上記円柱状操作つまみの外周面上部の中央の所定の範囲を下方に押圧操作して上記二つの押圧操作部品部を同時に操作して、上記移動後の選択項目の決定を行なうように第五の電気信号を発生させるようにしたものであり、円柱状操作つまみを回転操作することによる第一または第二の電気信号と、同操作つまみの外周面上部の左側部または右側部の押圧操作による第三および第四の電気信号および同操作つまみの外周面上部中央の押圧操作による第五の電気信号により、一つの操作つまみで、複数の選択項目からなるメニューを二つの異なる方向に移動させて、希望する項目を簡単かつ迅速に選択・決定して使用することができる操作性の優れた電子機器を実現することができるという作用を有する。
【００３２】
以下、本発明の実施の形態について、図面を用いて説明する。
【００３３】
（実施の形態１）
図１は本発明の第１の実施の形態による回転・押圧操作型電子部品としてのプッシュオンスイッチ付回転型エンコーダの部分断面の正面図、図２は同分解斜視図である。
【００３４】
同図に示すように、本プッシュオンスイッチ付回転型エンコーダ２１は、使用電子機器の下ケース２２に保持された配線基板２４およびその上部を覆う上ケース２３により、一辺２５Ａを支点として回動可能に支持された四角形の枠体２５と、この枠体２５内に回転可能に保持された円柱状操作つまみ２６と、この円柱状操作つまみ２６の一端と四角形の枠体２５の一つの辺である板状体２７の間で構成される回転操作型部品部としての回転型エンコーダ２８と、この回転型エンコーダ２８の信号を配線基板に伝達するように枠体２５に連結された接点ブロック２９と、配線基板２４上に形成された二つの押圧操作型部品部としてのプッシュオンスイッチ３０Ａ，３０Ｂからなるものであり、円柱状操作つまみ２６の外周面は中間部２６Ｂが両側部２６Ａ，２６Ｃよりも窪んだ細径部となっている。
【００３５】
なお、４４は接点ブロック２９を配線基板２４上の被接続用接点４５に弾接させるためのばね材である。
【００３６】
そして、四角形の枠体２５は、図１のＥ−Ｅ線における断面図である図３に示すように、その一辺２５Ａの下面に長手方向に沿って設けた突出部３１の円形先端面が、使用電子機器の下ケース２２に保持された配線基板２４上に載ると共に、この一辺２５Ａの上面に設けた、上方が大径となった二つの孔３３Ａ，３３Ｂの下方細径部に、使用電子機器の上ケース２３から下方に突出した二つの円形支持ピン３２を係合させることによって上ケース２３に対して位置決めされ、円形支持ピン３２の段部３２Ａと一辺２５Ａの上面とのギャップ分だけ上下動可能で、上記の一辺２５Ａの下面の突出部３１の円形先端面を支点として回動可能となっている。
【００３７】
なお、この枠体２５の一辺２５Ａに設けた二つの孔３３Ａ，３３Ｂは、一方の孔３３Ａを長円形とすることによって、二つの支持ピン３２の間隔と二つの孔３３Ａ，３３Ｂの間隔の寸法誤差を吸収するようになっている。
【００３８】
次に、この四角形の枠体２５と、この中に回転可能に保持された円柱状操作つまみ２６の構成について説明すると、図３のＧ−Ｇ線における断面図である図４、および回転型エンコーダ部の分解斜視図である図５に示すように、上記の一辺２５Ａとこれに対向する辺である辺２５Ｂおよびこれらを連結する中央の辺２５Ｃからなるコの字形体３４と、その開口部を塞ぐ板状体２７を組み合わせて止め金具３５で固定することによって四角形の枠体２５が形成され、このコの字形体３４の中央の辺２５Ｃと板状体２７の孔により回転しないように保持された金属製の支持軸３６に、円柱状操作つまみ２６が対向する辺２５Ａ，２５Ｂと平行で回転可能に保持されている。
【００３９】
そして、この円柱状操作つまみ２６は、その外周面上部を操作されるように、使用電子機器の上ケース２３の開口部２３Ａから露出させている。
【００４０】
また、円柱状操作つまみ２６の板状体２７側の端部は中空となっていて、その開口部を塞ぐように回転体３７がはめ込まれており、この回転体３７の外側面には可動接点としての放射状接点板３８が配設されると共に、これに対向する板状体２７から固定接点としてのコモン弾性接点３９Ａと僅かに長さの異なる二つの信号用弾性接点３９Ｂ，３９Ｃが伸ばされて放射状接点板３８に弾接しており、円柱状操作つまみ２６の回転に伴って回転体３７が回転することによって、放射状接点板３８上を三つの弾性接点が弾接摺動し、コモン弾性接点３９Ａと二つの信号用弾性接点３９Ｂ，３９Ｃとの間で回転方向に合わせた二種類の電気信号（パルス信号）を発生する回転型エンコーダ２８を構成している。
【００４１】
さらに、回転体３７の内側面には、外側面の放射状接点板３８に対応した放射状凹凸部４０が設けられて、この上に支持軸３６に固定された節度ばね４１の先端のダボ４１Ａが弾接しており、上記の円柱状操作つまみ２６の回転に伴う電気信号の発生に合わせた節度感を発生すると共に、円柱状操作つまみ２６すなわち回転体３７が回転しない時には、節度ばね４１のダボ４１Ａが放射状凹凸部４０の凹部にはまり込んでおり、円柱状操作つまみ２６が誤って回転されて誤信号を発生することを防止している。
【００４２】
そして、上記の可動接点である放射状接点板３８と固定接点であるコモン弾性接点３９Ａおよび二つの信号用弾性接点３９Ｂ，３９Ｃの間で発生した電気信号は、図４に示すように、各弾性接点と一帯の金属薄板で形成された可撓性を有する連結板４２Ａおよび４２Ｂ，４２Ｃを経て、接点ブロック２９下面の三つの接続用接点４３Ａおよび４３Ｂ，４３Ｃに導かれるように構成されている。
【００４３】
そして、図１および図２に示すように、接点ブロック２９は、下面の三つの接続用接点４３Ａおよび４３Ｂ，４３Ｃの中心部の上面に設けられた球状突部２９Ａを、使用電子機器の上ケース２３に保持されたばね材４４が押すことによって、三つの接続用接点４３Ａおよび４３Ｂ，４３Ｃが配線基板２４上にパターン形成された被接続用接点４５（４５Ａおよび４５Ｂ，４５Ｃ）に均等な接触圧力で弾接接続して、使用電子機器の回路に接続されている。
【００４４】
一方、上記の四角形の枠体２５の回動時の支点となる一辺２５Ａと対向する辺２５Ｂの下面の両端部近傍には、二つの押圧用突部４６Ａ，４６Ｂが設けられ、その下方の配線基板２４上には、二つの押圧操作部品部としてのプッシュオンスイッチ３０Ａ，３０Ｂが配設されている。
【００４５】
この二つのプッシュオンスイッチ３０Ａ，３０Ｂは、図６のプッシュオンスイッチ部の分解斜視図に示すように、配線基板２４上に所定の間隔をあけてパターン形成された二組の固定接点４７Ａ，４７Ｂおよび４７Ｃ，４７Ｄの上に、弾性金属薄板からなるほぼ同一反転ストローク・同一反転動作力のドーム状可動接点４８Ａ，４８Ｂを載せ、その上部を下面に粘着剤を塗布した可撓性フィルム４９Ａ，４９Ｂで覆って、二つの自力復帰型のプッシュオンスイッチ３０Ａ，３０Ｂとして形成したものであり、各プッシュオンスイッチ３０Ａ，３０Ｂの固定接点４７Ａ，４７Ｂおよび４７Ｃ，４７Ｄはそれぞれ使用電子機器の回路に接続されている。
【００４６】
そして、上記の四角形の枠体２５の辺２５Ｂ下面の二つの押圧用突部４６Ａ，４６Ｂは、通常状態において、二つのプッシュオンスイッチ３０Ａ，３０Ｂのドーム上可動接点４８Ａ，４８Ｂの中央頂点部上に、それぞれ可撓性フィルム４９Ａ，４９Ｂを介して当接している。
【００４７】
そして、このプッシュオンスイッチ３０Ａ，３０Ｂの間隔は、前記の四角形の枠体２５の一辺２５Ａの下面の突出部３１の両端間の寸法よりも狭い間隔となっていて、円柱状操作つまみ２６の外周面の中間部２６Ｂを押圧操作して、上記の一辺２５Ａを支点として四角形の枠体２５を回動させる際に、二つのプッシュオンスイッチ３０Ａ，３０Ｂが確実に同じに動作するように構成されている。
【００４８】
また、円柱状操作つまみ２６の外周面は、前述のように、その中間部２６Ｂが両方の側部２６Ａ，２６Ｃよりも窪んだ細径部となっていて、このプッシュオンスイッチ付回転型エンコーダ２１を操作する人が、容易に中間部２６Ｂを下方に押圧操作して、上記のように、二つのプッシュオンスイッチ３０Ａ，３０Ｂを同時に動作させることができるように配慮されている。
【００４９】
さらに、図１および図４に示すように、本実施の形態によるプッシュオンスイッチ付回転型エンコーダ２１を使用電子機器に装着した状態において、円柱状操作つまみ２６はその円柱形状の上半側分が電子機器の上ケース２３から突出していると共に、その両端部を電子機器の上ケース２３と一帯に形成した半球形のカバー部５０で覆われている。
【００５０】
これにより、円柱状操作つまみ２６の操作性がよくなると共に、電子機器の上ケース２３の高さ寸法を小さくすることができ、また、円柱状操作つまみ２６の端部から電子機器内への塵埃などの侵入を防ぐこともでき、さらに電子機器の操作面である上ケース２３の上面の見栄えもよいものとなっている。
【００５１】
本実施の形態による回転・押圧操作型電子部品は以上のように構成されるものであり、次にその動作について説明する。
【００５２】
まず、図１および図３において、電子機器の上ケース２３上面の操作面から突出した円柱状操作つまみ２６の外周面の窪んだ細径部となった中間部２６Ｂの上端部分に接線方向（図１および図３に示す矢印Ｈ方向）の力を加えて回転させることによって、この円柱状操作つまみ２６の端部に結合されている回転体３７が回転し（図４参照）、その外側面に配設された放射状接点板３８上を四角形の枠体２５の板状体２７から伸ばされたコモン弾性接点３９Ａと二つの信号用弾性接点３９Ｂ，３９Ｃが弾接摺動して、円柱状操作つまみ２６の回転方向に合わせた回転型エンコーダ部２８としての電気信号（パルス信号）を発生すると共に、回転体３７の内側面の放射状凹凸部４０上を支持軸３６に固定された節度ばね４１先端のダボ４１Ａが弾接摺動して、電気信号の発生に合わせた節度感を発生し、円柱状操作つまみ２６の回転が止まると放射状凹凸部４０の凹部内にはまり込んで停止する。
【００５３】
そして、発生した電気信号は、各弾性接点３９Ａ，３９Ｂ，３９Ｃから各連結板４２Ａ，４２Ｂ，４２Ｃおよび接点ブロック２９の各接続用接点４３Ａ，４３Ｂ，４３Ｃを経由して、配線基板２４の被接続用接点４５（４５Ａ，４５Ｂ，４５Ｃ）に伝えられて使用電子機器の回路に伝達される。
【００５４】
次に、図１と図３、および本実施の形態によるプッシュオンスイッチ付回転型エンコーダの上ケースを除いた状態の上面図である図７において、電子機器の上ケース２３上面の操作面から突出した円柱状操作つまみ２６の外周面の一方の側部２６Ａの上端部分に矢印Ｖ１方向（図１および図８の本実施の形態によるプッシュオンスイッチ付回転型エンコーダの動作状態を示す部分断面の正面図、参照）の押圧力を加えると、その押圧力により円柱状操作つまみ２６を保持した四角形の枠体２５がその一辺２５Ａ下面の突出部３１（図４参照）の円形先端面を支点とする回動により揺動し、この一辺２５Ａに対向する辺２５Ｂ下面の両端部近傍の押圧用突部４６Ａ，４６Ｂが配線基板２４上の二つのプッシュオンスイッチ３０Ａ，３０Ｂを押して動作させようとするが、矢印Ｖ１方向への押圧力は二つのプッシュオンスイッチ３０Ａ，３０Ｂのうち、押圧位置である円柱状操作つまみ２６の外周面の一側部２６Ａに近いプッシュオンスイッチ３０Ａに大きく作用するために、このプッシュオンスイッチ３０Ａのドーム状可動接点４８Ａが押し下げられて下方に撓むと共に、四角形の枠体２５は一辺２５Ａ下面の突出部３１の一方の端部３１Ａ（図４参照）と他方のプッシュオンスイッチ３０Ｂを結ぶ線を支軸として傾き、押圧力が大きくなるとドーム状可動接点４８Ａは反転動作して、図８に示すように、固定接点４７Ａと４７Ｂ（図６参照）の間を短絡してプッシュオンスイッチ３０Ａをオン状態とする。
【００５５】
この時、四角形の枠体２５は、その一辺２５Ａ下面の突出部３１の他方の端部３１Ｂ（図４参照）が上方に浮き上がるが、その動きはプッシュオンスイッチ３０Ａの動作ストロークにほぼ等しい。
【００５６】
そして、円柱状操作つまみ２６の外周の一方の側部２６Ａの上端部分に加える押圧力を除くと、プッシュオンスイッチ３０Ａのドーム状可動接点４８Ａは自身の弾性復元力によって元のドーム形状に戻り、固定接点４７Ａと４７Ｂの間は元のオフ状態になると共に、四角形の枠体２５およびこれに保持された円柱状操作つまみ２６も元の図１に示す通常の位置に戻る。
【００５７】
このように、円柱状操作つまみ２６の一方の側部２６Ａの上端部分を押圧操作すると、左側のプッシュオンスイッチ３０Ａを動作させることができる。
【００５８】
同様に、円柱状操作つまみ２６の他方の側部２６Ｃの上端部分を押圧操作することにより、右側のプッシュオンスイッチ３０Ｂを動作させることができる。
【００５９】
次に、円柱状操作つまみ２６の外周の窪んで細径となった中間部２６Ｂの上端部分に矢印Ｖ２方向（図１および図９の本実施の形態によるプッシュオンスイッチ付回転型エンコーダの動作状態を示す正面図、参照）の押圧力を加えると、その押圧力により円柱状操作つまみ２６を保持した四角形の枠体２５がその一辺２５Ａ下面の突出部３１（図４参照）の円形先端面を支点とする回動により揺動して、この一辺２５Ａに対向する辺２５Ｂ下面の押圧用突部４６Ａ，４６Ｂが配線基板２４上の二つのプッシュオンスイッチ３０Ａ，３０Ｂを押して動作させようとするが、矢印Ｖ２方向への押圧力は二つのプッシュオンスイッチ３０Ａ，３０Ｂにほぼ均等に作用するため、二つのプッシュオンスイッチ３０Ａ，３０Ｂのドーム状可動接点４８Ａおよび４８Ｂがほぼ同時に撓むと共に、四角形の枠体２５はその一辺２５Ａ下面の突出部３１の円形先端面を支点として回動し、押圧力が大きくなると二つのドーム状可動接点４８Ａ，４８Ｂがほぼ同時に反転動作して、図９に示すように、それぞれの固定接点４７Ａと４７Ｂの間および４７Ｃと４７Ｄの間（図６参照）を短絡してプッシュオンスイッチ３０Ａおよび３０Ｂを共にオン状態とする。
【００６０】
そして、円柱状操作つまみ２６の細径の中間部２６Ｂの上端部分に加える押圧力を除くと、プッシュオンスイッチ３０Ａおよび３０Ｂのドーム状可動接点４８Ａおよび４８Ｂが自身の弾性復元力によって元のドーム形状に戻り、各プッシュオンスイッチ３０Ａ，３０Ｂはいずれもオフの状態になると共に、四角形の枠体２５およびこれに保持された円柱状操作つまみ２６も元の図１に示す通常の状態に戻る。
【００６１】
従って、この二つのプッシュオンスイッチ３０Ａ，３０Ｂを使用する電子機器において、二つのプッシュオンスイッチ３０Ａ，３０Ｂが共にオン状態となる時に、そのオンになるタイミングが一定の時間内であれば、どちらのプッシュオンスイッチ３０Ａまたは３０Ｂがオン状態になった時の電気信号とも異なる他の電気信号として処理するための時間測定手段を用いたスイッチング認識手段を設けておくと、円柱状操作つまみ２６の押圧操作により三種類の電気信号による操作ができる電子機器とすることができるものである。
【００６２】
そして、この円柱状操作つまみ２６の押圧操作時において、回転型エンコーダ２８の回転体３７はその内側面の放射状凹凸部４０の凹部内に節度ばね４１先端のダボ４１Ａがはまり込んでいるため回転せず、その接点部で誤信号を発生することはなく、また、この操作つまみ２６の押圧操作時の四角形の枠体２５の揺動に伴う回転型エンコーダ２８の上下方向の動きは、板状体２７から導出された可撓性を有する連結板４２Ａ，４２Ｂ，４２Ｃが撓むことにより吸収するので、接点ブロック２９には伝わらない。
【００６３】
以上のように本実施の形態によれば、一つの円柱状操作つまみ２６を回転操作する方向により二種類の電気信号を、また押圧操作する位置を変えることによって三種類の電気信号をそれぞれ発生するので、一つの操作つまみにより合わせて五種類の電気信号による操作を簡単かつ迅速にできる、操作性の優れた回転・押圧操作型電子部品を実現できるものである。
【００６４】
なお、上記の説明では、回転操作部品部が円柱状操作つまみ２６の回転方向により異なる電気信号を発生する回転型エンコーダ２８である場合について述べたが、これは円柱状操作つまみ２６を所定の角度だけ回動させると回動させた方向の接点が動作する回動型スイッチであっても、上記の内容が適用できる。
【００６５】
また、配線基板２４の上面に配設された固定接点４７Ａ，４７Ｂおよび４７Ｃ，４７Ｄの上にドーム状可動接点４８Ａおよび４８Ｂを載せてプッシュオンスイッチ３０Ａ，３０Ｂを形成する場合について説明したが、これはあらかじめ完成された二つのプッシュオンスイッチを配線基板２４の上に配設してもよく、さらにそのプッシュオンスイッチが一回路タイプでなく、二回路タイプ等の多回路のプッシュオンスイッチであると、より多くの回路を接・断操作して多くの電気信号を発生することができる。
【００６６】
（実施の形態２）
図１０は本発明の第２の実施の形態によるプッシュオンスイッチ付回転型エンコーダの正面断面図、図１１は図１０のＨ−Ｈ線における断面図であり、上記の第１の実施の形態によるプッシュオンスイッチ付回転型エンコーダ２１に対して、このプッシュオンスイッチ付回転型エンコーダ５１は、操作する人が円柱状操作つまみ２６の外周面上部に手や指を触れた際に発生する静電気に対する対策としてアース板５２を配している点と、使用電子機器の上ケース５３から下方に突出した二つの円形支持ピン５４が、四角形の枠体５５の一辺５５Ａの二つの孔５６を貫通して、その先端が下方の配線基板５７の孔５７Ａに挿入されている点、およびこの四角形の枠体５５の一辺５５Ａの中央部を下方の配線基板５７に向けて付勢するばね体５８を上ケース５３と枠体５５の間に配している点が異なっている。
【００６７】
そして、これ以外の部分は上記第１の実施の形態によるプッシュオンスイッチ付回転型エンコーダ２１と同じ構成であるため、第１の実施の形態によるものと同一の部分には同一符号を付して説明を省略し、異なる点について詳細に説明する。
【００６８】
まず、アース板５２は、円柱状操作つまみ２６の外周部の上側半分に近接する板状体６０の、上端部を含む外周端部に露出するようにインサート成形されて配設されており、回転型エンコーダ２８の活電部材である可動接点部（放射状接点３８）や固定接点部（コモン弾性接点３９Ａおよび信号用弾性接点３９Ｂ，３９Ｃ）よりも円柱状操作つまみ２６の外周に近く配されている。
【００６９】
そして、図１２の板状体および接点ブロックの断面図に示すように、このアース板５２は、アース板５２と一体の金属薄板で形成された可撓性を有する連結板４２Ｄを経て接点ブロック５９の下面に、上記の固定接点部用の三つの接続用接点４３Ａおよび４３Ｂ，４３Ｃに並べて設けられた接続用接点４３Ｄに導かれ、配線基板５７上にパターン形成された被接続用接点を介して、使用電子機器のアース回路に接続されるように構成されている。
【００７０】
なお、接点ブロック５９の下面に設けられた上記のアース板５２用の接続用接点４３Ｄは、これと並べて設けられた三つの固定接点部用の接続用接点４３Ａおよび４３Ｂ，４３Ｃよりも突出しないように、下方の被接続用接点との間にギャップをあけて配設されているが、静電気はこのギャップ部分で放電してアース回路へ流れるので、問題ないものである。
【００７１】
次に、四角形の枠体５５は、その一辺５５Ａの長手方向に沿って設けた突出部６１の円形先端面が使用電子機器の配線基板５７上に載ると共に、この一辺５５Ａの上面から下面に貫通して設けた上方が大径となった二つの貫通孔５６に対して、上ケース５３から下方に突出した二つの円形支持ピン５４が上面から挿入され、各貫通孔５６の下方細径部に係合すると共に、下面側へ突出したその先端部５４Ａは下方の配線基板５７にあけられた位置決め用の孔５７Ａに挿入されている。
【００７２】
そして、この四角形の枠体５５が二つの円形支持ピン５４の段部５４Ｂと上記の一辺５５Ａの上面とのギャップ分だけ上下動可能で、上記の一辺５５Ａの下面の突出部６１の円形先端面を支点として回動可能となっていることは、実施の形態１の場合と同様である。
【００７３】
このような構成とすることによって、四角形の枠体５５と配線基板５７の間の位置ずれを規制することができるので、円柱状操作つまみ２６を押圧操作する際に、四角形の枠体５５の一辺５５Ａと対向した辺５５Ｂ下面の押圧用突部６２Ａ，６２Ｂと配線基板５７上の押圧操作部品部であるプッシュオンスイッチ３０Ａ，３０Ｂの間の位置ずれを規制して、プッシュオンスイッチ３０Ａ，３０Ｂを設定通りの条件で確実に操作することができるものである。
【００７４】
また、四角形の枠体５５の一辺５５Ａの中央部と上ケース５３の間に配されたばね体５８は、プッシュオンスイッチ３０Ａおよび３０Ｂの動作力よりも小さい力で上記の一辺５５Ａを下方に付勢して、その下面の突出部６１が配線基板５７に当接するように押し付けているものである。
【００７５】
これにより、通常状態において、上記の二つの円形支持ピン５４の段部５４Ｂと上記の一辺５５Ａの上面とのギャップによる、四角形の枠体５５および円柱状操作つまみ２６のガタツキがなくなると共に、ばね体５８の付勢力がプッシュオンスイッチ３０Ａおよび３０Ｂの動作力よりも小さいので、円柱状操作つまみ２６を押圧操作する際のプッシュオンスイッチ３０Ａおよび３０Ｂの動作に影響しないものである。
【００７６】
そして、本実施の形態による回転・押圧操作型電子部品５１の動作は、実施の形態１の場合と同様であるのでその説明を省略する。
【００７７】
以上のように本実施の形態によれば、本プッシュオンスイッチ付回転型エンコーダ５１を装着した電子機器において、操作部として外部に露出する部分である円柱状操作つまみ２６の外周面の上端部分に触れて操作する際に静電気が発生しても、その静電気は円柱状操作つまみ２６の表面に最も近い導電部であるアース板５２の露出部に放電し、連結板４２Ｄおよび接続用接点４３Ｄから電子機器のアース回路に流れ、回転型エンコーダ部２８や電子機器の回路に流入することがないと共に、プッシュオンスイッチ３０Ａおよび３０Ｂを個別にまたは同時に、確実に安定して動作させることができ、さらに四角形の枠体５５および円柱状操作つまみ２６のガタツキがない良好な操作感触とすることができるものである。
【００７８】
（実施の形態３）
図１３は本発明の第３の実施の形態によるプッシュオンスイッチ付回転型エンコーダの側面断面図、図１４は同分解斜視図であり、このプッシュオンスイッチ付回転型エンコーダ６３は、これを用いた電子機器を組み立てる際の構成部材の取扱いを容易にするものであり、これ以外の部分は前記第１の実施の形態によるプッシュオンスイッチ付回転型エンコーダ２１と同じ構成であるため、第１の実施の形態によるものと同一の部分には同一符号を付して説明を省略し、異なる点について詳細に説明する。
【００７９】
図１３および図１４に示すように、この使用電子機器の上ケース６４から下方に、二つの円形支持ピン６５に加えて、その開口部６４Ａを挟むように二つの弾性脚部６６Ａ，６７Ａが突出している。
【００８０】
この二つの弾性脚部６６Ａ，６７Ａは両者の間に、円柱状操作つまみ２６等を装着した四角形の枠体２５を挟み込み、図１５の断面図に示すように、その先端部内側の抜け止め用の爪部６６Ｂ，６７Ｂで仮保持するものである。
【００８１】
なお、この状態において、上記の二つの円形支持ピン６５は、四角形の枠体２５の一辺２５Ａの二つの孔３３Ａ，３３Ｂに挿入されている。
【００８２】
このようにして、円柱状操作つまみ２６を備えた四角形の枠体２５を仮保持した上ケース６４を、配線基板２４を保持した下ケース２２と組み合せることによって、本プッシュオンスイッチ付回転型エンコーダ６３を用いた電子機器を効率よく組み立てることができるものである。
【００８３】
そして、使用電子機器の上ケース６４に設ける二つの弾性脚部６６Ａ，６７Ａは、組み立て後の電子機器において、円柱状操作つまみ２６の操作による四角形の枠体２５の上下動および回動動作を妨げないように設定されていることは勿論である。
【００８４】
また、使用電子機器の上ケース６４に設ける二つの弾性脚部６６Ａ，６７Ａは、必ずしも二つに設ける必要はなく、一方の弾性脚部６６Ａと二つの円形支持ピン６５によって、四角形の枠体２５を上ケース６４に仮保持させることも可能である。
【００８５】
そして、本実施の形態によるプッシュオンスイッチ付回転型エンコーダ６３の動作は、実施の形態１の場合と同様であるのでその説明を省略する。
【００８６】
なお、以上の説明は、本実施の形態の内容を実施の形態１によるプッシュオンスイッチ付回転型エンコーダに適用する場合について述べたが、実施の形態２によるプッシュオンスイッチ付回転型エンコーダに対しても同様に適用できる。
【００８７】
（実施の形態４）
図１６は本発明の第１の実施の形態による回転・押圧操作型電子部品としてのプッシュオンスイッチ付回転型エンコーダを装着した、本発明の第４の実施の形態による電子機器としての携帯電話装置の外観斜視図である。
【００８８】
同図に示すように、携帯電話装置６８の上面の操作面６８Ａには、液晶表示部１７とテンキー６９の間に、前記実施の形態１において説明したプッシュオンスイッチ付回転型エンコーダ２１の円柱状操作つまみ２６の円柱形状の上半分が露出するように配設されている。
【００８９】
この携帯電話装置６８の使用方法について説明すると、使用開始時に、その操作面６８Ａの液晶表示部１７に複数の機能項目メニューが所定の配列関係で表示された状態において、まず操作面６８Ａから露出した円柱状操作つまみ２６の外周の窪んで細径となった中間部２６Ｂの上端部分に接線方向の力を加え、前方側または手前側に回転させることにより回転型エンコーダ２８から発せられた信号によって、表示画面（図示せず）中の機能項目メニューを希望する項目のある行まで前後方向に移動させ、次に円柱状操作つまみ２６の左方の側部２６Ａまたは右方の側部２６Ｃの上端部分を押圧操作してプッシュオンスイッチ３０Ａまたは３０Ｂを動作させることにより、表示画面（図示せず）中の機能項目メニューを目的とする項目のある列まで左右方向に移動させて目的の項目を選択し、例えば「発信」の位置で、今度は円柱状操作つまみ２６の中間部２６Ｂの上端部分を押圧操作して二つのプッシュオンスイッチ３０Ａ，３０Ｂをほぼ同時に動作させて決定し、次に液晶表示部１７には複数の発信相手先のメニューが所定の配列順序で表示され、再び円柱状操作つまみ２６の中間部２６Ｂの上端部分に接線方向の力を加えて前方側または手前側に回転させることにより、発信相手先メニューを希望する相手先の位置まで前後方向に移動させて選択し、目的とする相手先の位置で、再び円柱状操作つまみ２６の中間部２６Ｂの上端部分を押圧操作して決定し、この後、相手先に発呼信号を送るものである。
【００９０】
なお、上記のプッシュオンスイッチ付回転型エンコーダ２１の操作において、円柱状操作つまみ２６の外周の窪んで細径となった中間部２６Ｂの上端部分を押圧操作して、二つのプッシュオンスイッチ３０Ａおよび３０Ｂが共にオン状態になる時には、そのオンになるタイミングが一定の時間内であれば、どちらのプッシュオンスイッチ３０Ａまたは３０Ｂがオン状態になった時の電気信号とも異なる他の電気信号として処理するための時間測定手段を用いたスイッチング認識手段を用いて、電気信号を出力するものである。
【００９１】
以上のように本実施の形態によれば、一つの操作つまみである円柱状操作つまみ２６の上面の操作する位置を変えるだけで、複数の選択項目を有するメニューの中から希望する選択項目を簡単かつ迅速に決定することができる操作性の優れた電子機器としての携帯電話装置を提供することができる。
【００９２】
【発明の効果】
以上のように本発明によれば、複数の選択項目を有するメニューの中から所定の選択項目を選択して使用する電子機器において、一つの操作つまみで、複数の選択項目からなるメニューを二つの異なる方向に移動させて、希望する項目を簡単かつ迅速に選択・決定することができて操作性に優れると共に、使用電子機器と一体になった安価でコンパクトな回転・押圧操作型電子部品を実現することができるという有利な効果が得られる。
【図面の簡単な説明】
【図１】本発明の第１の実施の形態による回転・押圧操作型電子部品としてのプッシュオンスイッチ付回転型エンコーダの部分断面の正面図
【図２】同分解斜視図
【図３】図１のＥ−Ｅ線における断面図
【図４】図３のＧ−Ｇ線における断面図
【図５】同回転型エンコーダ部の分解斜視図
【図６】同プッシュオンスイッチ部の分解斜視図
【図７】同プッシュオンスイッチ付回転型エンコーダの上ケースを除いた状態の上面図
【図８】同円柱状操作つまみの外周の一方の側部上面を押圧操作する場合の動作状態を説明する部分断面の正面図
【図９】同円柱状操作つまみの外周の中間部上面を押圧操作する場合の動作状態を説明する部分断面の正面図
【図１０】本発明の第２の実施の形態によるプッシュオンスイッチ付回転型エンコーダの正面断面図
【図１１】図１０のＨ−Ｈ線における断面図
【図１２】同要部である板状体および接点ブロックの断面図
【図１３】本発明の第３の実施の形態によるプッシュオンスイッチ付回転型エンコーダの側面断面図
【図１４】同分解斜視図
【図１５】同上ケースの弾性脚部で四角形の枠体を仮保持した状態を説明する断面図
【図１６】本発明の第４の実施の形態による電子機器としての携帯電話装置の外観斜視図
【図１７】従来の回転・押圧操作型電子部品としてのプッシュオンスイッチ付回転型エンコーダの外観斜視図
【図１８】同側面断面図
【図１９】同プッシュオンスイッチ付回転型エンコーダを使用した携帯電話装置の外観斜視図
【図２０】二回路プッシュオンスイッチの部分断面の正面図
【符号の説明】
１７  液晶表示部
２１，５１，６３  プッシュオンスイッチ付回転型エンコーダ
２２  下ケース
２３，５３，６４  上ケース
２３Ａ  開口部
２４，５７  配線基板
２５，５５  枠体
２５Ａ，５５Ａ  一辺
２５Ｂ，２５Ｃ，５５Ｂ  辺
２６  円柱状操作つまみ
２６Ａ，２６Ｃ  側部
２６Ｂ  中間部
２７，６０  板状体
２８  回転型エンコーダ
２９，５９  接点ブロック
２９Ａ  球状突部
３０Ａ，３０Ｂ  プッシュオンスイッチ
３１，６１  突出部
３１Ａ，３１Ｂ  端部
３２，５４，６５  円形支持ピン
３２Ａ，５４Ｂ  段部
３３Ａ，３３Ｂ，５７Ａ  孔
３４  コの字形体
３５  止め金具
３６  支持軸
３７  回転体
３８  放射状接点板
３９Ａ  コモン弾性接点
３９Ｂ，３９Ｃ  信号用弾性接点
４０  放射状凹凸部
４１  節度ばね
４１Ａ  ダボ
４２Ａ，４２Ｂ，４２Ｃ，４２Ｄ  連結板
４３Ａ，４３Ｂ，４３Ｃ，４３Ｄ  接続用接点
４４  ばね材
４５，４５Ａ，４５Ｂ，４５Ｃ  被接続用接点
４６Ａ，４６Ｂ，６２Ａ，６２Ｂ  押圧用突部
４７Ａ，４７Ｂ，４７Ｃ，４７Ｄ  固定接点
４８Ａ，４８Ｂ  ドーム状可動接点
４９Ａ，４９Ｂ  可撓性フィルム
５０  カバー部
５２  アース板
５４Ａ  先端部
５６  貫通孔
５８  ばね体
６４Ａ  開口部
６６Ａ，６７Ａ  弾性脚部
６６Ｂ，６７Ｂ  爪部
６８  携帯電話装置
６８Ａ  操作面
６９  テンキー
【図１】
0003991491.tif 000002
【図２】
0003991491.tif 000003
【図３】
0003991491.tif 000004
【図４】
0003991491.tif 000005
【図５】
0003991491.tif 000006
【図６】
0003991491.tif 000007
【図７】
0003991491.tif 000008
【図８】
0003991491.tif 000009
【図９】
0003991491.tif 000010
【図１０】
0003991491.tif 000011
【図１１】
0003991491.tif 000012
【図１２】
0003991491.tif 000013
【図１３】
0003991491.tif 000014
【図１４】
0003991491.tif 000015
【図１５】
0003991491.tif 000016
【図１６】
0003991491.tif 000017
【図１７】
0003991491.tif 000018
【図１８】
0003991491.tif 000019
【図１９】
0003991491.tif 000020
【図２０】
0003991491.tif 000021